(57)【要約】【課題】省電力化を実現するとともに、省電力を目的とする電力モードにおいてユーザの操作性を向上させることができる。【解決手段】画像処理装置は、操作部、スキャナ部及びプリンタ部のそれぞれへ電力を供給するか否かを示す複数の電力モード間の切り替えを行う制御部と、電力モードに従って電力を供給する電源部とを備え、複数の電力モードは、操作部とスキャナ部とプリンタ部とのいずれにも電源部からの電力を供給しない第１の電力モードと、操作部とプリンタ部とへ電源部からの電力を供給し、かつ、スキャナ部へ電源部からの電力を供給しない第２の電力モードとを含み、制御部は、第１の電力モードにおいて、画像データが示す画像を媒体に印刷することを要求するプリント要求を通信部が外部から受信した場合、第１の電力モードから第２の電力モードへ切り替える。【選択図】図２
2011101330.tif 000002
【特許請求の範囲】
【請求項１】
ユーザからの入力を受け付ける操作部と、
原稿に表された画像を読み取って画像データを生成するスキャナ部と、
画像データが示す画像を媒体に印刷するプリンタ部と、
ネットワークを介して外部から、画像データの印刷を要求するプリント要求を受信する通信部と、
前記操作部、前記スキャナ部及び前記プリンタ部のそれぞれへ電力を供給するか否かを示す複数の電力モード間の切り替えを行う制御部と、
前記電力モードに従って電力を供給する電源部とを備え、
前記複数の電力モードは、前記操作部と前記スキャナ部と前記プリンタ部とのいずれにも前記電源部からの電力を供給しない第１の電力モードと、前記操作部と前記プリンタ部とへ前記電源部からの電力を供給し、かつ、前記スキャナ部へ前記電源部からの電力を供給しない第２の電力モードとを含み、
前記制御部は、前記第１の電力モードにおいて、画像データが示す画像を媒体に印刷することを要求するプリント要求を前記通信部が外部から受信した場合、前記第１の電力モードから前記第２の電力モードへ切り替える
画像処理装置。
【請求項２】
前記操作部は、操作用画像を表示し、ユーザからの入力を受け付ける表示部と、前記表示部を背面から照射する発光部とを有し、
前記複数の電力モードは、さらに、前記操作部が有する前記表示部と前記発光部とのうち、前記表示部にのみ前記電源部からの電力を供給し、かつ、前記プリンタ部に前記電源部からの電力を供給する第３の電力モードを含み、
前記制御部は、前記第３の電力モードを経由させて、前記第２の電力モードから前記第１の電力モードへ切り替える
請求項１に記載の画像処理装置。
【請求項３】
前記複数の電力モードは、さらに、前記操作部と前記スキャナ部と前記プリンタ部とに前記電源部からの電力を供給する第４の電力モードを含み、
前記制御部は、前記第２の電力モードにおいて所定の条件を満たした場合、前記第２の電力モードから前記第４の電力モードへ切り替える
請求項１又は２に記載の画像処理装置。
【請求項４】
前記操作部は、さらに、前記複数の電力モード間の切り替えを指示するための入力を受け付ける切替入力部を有し、
前記制御部は、前記第２の電力モードにおいて前記切替入力部が操作された場合、前記第２の電力モードから前記第４の電力モードへ切り替える
請求項３に記載の画像処理装置。
【発明の詳細な説明】
【技術分野】
【０００１】
本発明は、スキャナ機能及びネットワークプリント機能を有する複合機などの画像処理装置に関する。
【背景技術】
【０００２】
近年、ファクシミリ装置あるいは複合機などの画像処理装置では、省電力化が求められている。そこで、各種処理が終了した後に一定時間経過した場合に、電力の消費量を低減するために、装置の一部への電力の供給を抑制する省エネルギーモードに移行する技術が提案されている（例えば、特許文献１を参照）。
【０００３】
特許文献１に記載の技術では、所定の条件を満たした場合に、各種機能が利用可能な通常の電力モードから省エネルギーモードに切り替えられる。そして、現在の電力モードが省エネルギーモードであるときに受け付けた指示又は要求に応じて、その指示又は要求に応じた装置の一部だけが初期化される。例えば、省エネルギーモードにおいて、プリント要求を受け付けた場合又はファクシミリを受信した場合には、プリンタは初期化されるが、スキャナは初期化されない。つまり、プリント要求を受け付けた場合又はファクシミリを受信した場合には、プリンタに電力が供給され、スキャナには電力が供給されない。このように、特許文献１に記載の技術では、省エネルギーモードにおいて何らかの指示又は要求があった場合に、その指示又は要求に応じるために最低限必要な部分にのみ電力を供給することにより、省電力化を実現している。
【先行技術文献】
【特許文献】
【０００４】
【特許文献１】特開２００３−２４１５８２号公報
【発明の概要】
【発明が解決しようとする課題】
【０００５】
ところで、ネットワークを介して接続された外部の装置等から画像処理装置にプリント要求があった場合に、ユーザは画像処理装置側でそのプリント要求を取り消したいときがある。このような場合、上記特許文献１に記載の技術のように、省エネルギーモードにおいてプリント要求を受け付けたときに、画像処理装置の印刷に関する部分にしか電力が供給されていなければ、ユーザは、画像処理装置側で迅速にプリント要求を取り消しできない。例えば、ユーザは、プリント要求を取り消すために、画像処理装置を通常の電力モードに復帰させた後、プリント要求を取り消さなければならないので、画像処理装置側で迅速にプリント要求を取り消しできない。
【０００６】
そこで、本発明は、上記課題を解決するためになされたものであり、省電力化を実現するとともに、省電力を目的とする電力モードにおいてユーザの操作性を向上させることができる画像処理装置を提供することを目的とする。
【課題を解決するための手段】
【０００７】
上記目的を達成するために、本発明の一態様に係る画像処理装置は、ユーザからの入力を受け付ける操作部と、原稿に表された画像を読み取って画像データを生成するスキャナ部と、画像データが示す画像を媒体に印刷するプリンタ部と、ネットワークを介して外部から、画像データの印刷を要求するプリント要求を受信する通信部と、前記操作部、前記スキャナ部及び前記プリンタ部のそれぞれへ電力を供給するか否かを示す複数の電力モード間の切り替えを行う制御部と、前記電力モードに従って電力を供給する電源部とを備え、前記複数の電力モードは、前記操作部と前記スキャナ部と前記プリンタ部とのいずれにも前記電源部からの電力を供給しない第１の電力モードと、前記操作部と前記プリンタ部とへ前記電源部からの電力を供給し、かつ、前記スキャナ部へ前記電源部からの電力を供給しない第２の電力モードとを含み、前記制御部は、前記第１の電力モードにおいて、画像データが示す画像を媒体に印刷することを要求するプリント要求を前記通信部が外部から受信した場合、前記第１の電力モードから前記第２の電力モードへ切り替える。
【０００８】
これにより、省電力化された第１の電力モードにおいてプリント要求を受信した場合に、スキャナ部に電源部からの電力を供給しない第２の電力モードに切り替えて印刷ジョブを実行することができる。したがって、スキャナ部に不要な電力を供給することを抑制できるので、省電力化を実現することができる。さらに、現在の電力モードが第２の電力モードであるときには、操作部に電源部からの電力が供給される。したがって、ユーザは、第２の電力モードから他の電力モードに切り替えることなく、比較的迅速に操作部を介してプリント要求を取り消すことができる。つまり、ユーザの操作性を向上させることができる。
【０００９】
また、前記操作部は、操作用画像を表示し、ユーザからの入力を受け付ける表示部と、前記表示部を背面から照射する発光部とを有し、前記複数の電力モードは、さらに、前記操作部が有する前記表示部と前記発光部とのうち、前記表示部にのみ前記電源部からの電力を供給し、かつ、前記プリンタ部に前記電源部からの電力を供給する第３の電力モードを含み、前記制御部は、前記第３の電力モードを経由させて、前記第２の電力モードから前記第１の電力モードへ切り替えることが好ましい。
【００１０】
これにより、第２の電力モードから第１の電力モードに直接切り替えられることがない。つまり、第１の電力モードよりも印刷動作を早く開始することができる第３の電力モードに一旦切り替えられるので、再度プリント要求を受信した際に、より早く印刷処理を実行できる可能性が向上する。また、第２の電力モードから発光部へ電源部からの電力が供給されない第３の電力モードに切り替えられることにより、第２の電力モードのまま電力モードが維持されるよりも、省電力化を実現することができる。
【００１１】
また、前記複数の電力モードは、さらに、前記操作部と前記スキャナ部と前記プリンタ部とに前記電源部からの電力を供給する第４の電力モードを含み、前記制御部は、前記第２の電力モードにおいて所定の条件を満たした場合、前記第２の電力モードから前記第４の電力モードへ切り替えることが好ましい。
【００１２】
これにより、スキャナ部が利用される状況などを示す所定の条件に従って、スキャナ部に電源部からの電力が供給されない第２の電力モードからスキャナ部に電源部からの電力が供給される第４の電力モードに切り替えることができる。
【００１３】
また、前記操作部は、さらに、前記複数の電力モード間の切り替えを指示するための入力を受け付ける切替入力部を有し、前記制御部は、前記第２の電力モードにおいて前記切替入力部が操作された場合、前記第２の電力モードから前記第４の電力モードへ切り替えることが好ましい。
【００１４】
これにより、ユーザは、切替入力部を操作するだけで、第２電力モードから第４電力モードへ容易に切り替えることができる。つまり、ユーザの操作性を向上させることができる。
【発明の効果】
【００１５】
以上の説明から明らかなように、本発明の一態様に係る画像処理装置は、省電力を目的とする第２の電力モードにおいて、操作部に電源部からの電力を供給できるので、省電力化を実現するとともに、ユーザの操作性を向上させることができる。
【図面の簡単な説明】
【００１６】
【図１】本発明の実施の形態に係る画像処理装置を含む画像処理システムの構成を示す図である。
【図２】本発明の実施の形態に係る画像処理装置のハードウェア構成を示す図である。
【図３】本発明の実施の形態に係る画像処理装置の特徴的な機能構成を示すブロック図である。
【図４】本発明の実施の形態に係る画像処理装置の電力モードの遷移図である。
【図５】本発明の実施の形態に係る画像処理装置が保持する遷移条件テーブルの一例を示す図である。
【図６】本発明の実施の形態に係る画像処理装置の動作を示すフローチャートである。
【発明を実施するための形態】
【００１７】
以下に、本発明の実施の形態について、図面を参照しながら説明する。
【００１８】
図１は、本発明の実施の形態に係る画像処理装置を含む画像処理システムの構成を示す図である。この画像処理システムにおいて、本実施の形態に係る画像処理装置１００は、ＰＳＴＮ（Ｐｕｂｌｉｃ  Ｓｗｉｔｃｈｅｄ  Ｔｅｌｅｐｈｏｎｅ  Ｎｅｔｗｏｒｋｓ；公衆電話交換回線網）２０３を介して、ファクシミリの送受信の相手先となる相手画像処理装置２００に接続されるとともに、ＬＡＮ（Ｌｏｃａｌ  Ａｒｅａ  Ｎｅｔｗｏｒｋ）２０４を介して、端末装置２０１、２０２に接続されている。
【００１９】
画像処理装置１００は、例えば複合機（ＭＦＰ：Ｍｕｌｔｉ  Ｆｕｎｃｔｉｏｎ  Ｐｅｒｉｐｈｅｒａｌｓ）であり、画像データを処理する装置である。
【００２０】
端末装置２０１、２０２は、ＬＡＮ２０４を介して画像処理装置１００にアクセスし、画像処理装置１００に対してプリント要求などの各種要求、あるいはその各種要求に付随する画像データなどを送信する。また、端末装置２０１、２０２は、画像処理装置１００の各種設定を参照あるいは変更することもできる。
【００２１】
図２は、本発明の実施の形態に係る画像処理装置のハードウェア構成を示す図である。なお、図２において、破線矢印は、電力供給の流れを示し、実線矢印は、制御信号又はデータ信号などの流れを示す。
【００２２】
画像処理装置１００は、ＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＳＲＡＭ（Ｓｔａｔｉｃ  Ｒａｎｄｏｍ  Ａｃｃｅｓｓ  Ｍｅｍｏｒｙ）１０３、メモリコントローラ１０４、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１０５、コーデック１０６、モデム１０７、ＮＣＵ（Ｎｅｔｗｏｒｋ  Ｃｏｎｔｒｏｌ  Ｕｎｉｔ）１０８、ＬＡＮＩ／Ｆ（ＬＡＮインターフェース）１０９、操作パネル１１０、スキャナ１２０、プリンタ１３０、第１電源回路１４０、第２電源回路１４１、第１スイッチ１４２、第２スイッチ１４３、及び第３スイッチ１４４を備える。
【００２３】
ＣＰＵ１０１は、ＲＯＭ１０２に格納された制御プログラムを実行するプロセッサである。
【００２４】
ＲＯＭ１０２は、制御プログラム等を保持する読み出し専用メモリである。
【００２５】
ＳＲＡＭ１０３は、小さな電池等から電力を供給可能とすることにより、主電源が供給されない間も記憶情報を保持する、読み書き可能な不揮発性メモリである。
【００２６】
メモリコントローラ１０４は、ＳＤＲＡＭ１０５からのデータの読み出し、又はＳＤＲＡＭ１０５へのデータの書き込みなどのＳＤＲＡＭ１０５とのデータ転送を制御する。
【００２７】
ＳＤＲＡＭ１０５は、読み書き可能な揮発性メモリである。具体的には、ＳＤＲＡＭ１０５は、例えば、ＣＰＵ１０１が制御プログラムを実行するときに使用するワークエリアとして利用される。また例えば、ＳＤＲＡＭ１０５は、スキャナ１２０で読み込まれた画像データ、又は、端末装置２０１、２０２若しくは相手画像処理装置２００から送信されてきた画像データを一時的に保持する記憶領域として利用される。
【００２８】
コーデック１０６は、集積回路等によって実現される処理部であり、画像データの符号化又は復号化を行う。具体的には、コーデック１０６は、例えば、ＪＰＥＧ又はＪＢＩＧなどの圧縮符号化方式に従って画像データを圧縮符号化することにより符号列を生成する。
【００２９】
モデム１０７は、ファクシミリ送信される画像データを変調する、又は外部からファクシミリ送信されてきた画像データを復調するファックスモデムである。
【００３０】
ＮＣＵ１０８は、ＰＳＴＮ２０３と接続される回線終端装置である。
【００３１】
ＬＡＮＩ／Ｆ１０９は、この画像処理装置１００とＬＡＮ２０４とを接続する通信アダプタである。
【００３２】
操作パネル１１０は、ユーザからの入力を受け付けるパネルである。例えば、操作パネル１１０は、プリント要求の取り消し指示、あるいは電力モードの切替指示などを受け付ける。図２に示すように、操作パネル１１０は、パネル制御回路１１１と、キーマトリクス１１２と、ＬＥＤ（Ｌｉｇｈｔ  Ｅｍｉｔｔｉｎｇ  Ｄｉｏｄｅ）１１３と、液晶パネル１１４と、バックライト１１５と、省エネキー１１６とを有する。
【００３３】
パネル制御回路１１１は、例えばＬＳＩ（Ｌａｒｇｅ  Ｓｃａｌｅ  Ｉｎｔｅｇｒａｔｉｏｎ）などの集積回路である。パネル制御回路１１１は、操作パネル１１０が有するキーマトリクス１１２、ＬＥＤ１１３、液晶パネル１１４、バックライト１１５、その他の各構成要素を制御する。具体的には、パネル制御回路１１１は、例えば、ＣＰＵ１０１などからの命令に従って、バックライト１１５の点灯及び消灯を制御する。また、パネル制御回路１１１は、例えば、キーマトリクス１１２又は液晶パネル１１４が受け付けた入力に関する情報をＣＰＵ１０１などに通知する。
【００３４】
キーマトリクス１１２は、操作パネル１１０の上面に配置された複数のキースイッチ（押しボタンスイッチ）のうち、どのキースイッチが押下されたかを示す信号を生成する。そして、キーマトリクス１１２は、生成した信号をパネル制御回路１１１に通知する。例えば、各キースイッチが０から９までの異なる番号に対応付けられている場合、パネル制御回路１１１は、キーマトリクス１１２から通知された信号からファクシミリ送信する際の送り先番号などを取得することができる。
【００３５】
ＬＥＤ１１３は、点灯、点滅又は消灯することにより、画像処理装置１００の各種状態を示す。例えば、ＬＥＤ１１３は、端末装置２０１等からＬＡＮ２０４を介して印刷すべき画像データを受信中に点滅する。
【００３６】
液晶パネル１１４は、例えばタッチパネルであり、ユーザからの入力を受け付ける。例えば、液晶パネル１１４は、コピー前に、拡大率もしくは縮小率、又は印刷濃度などの複写パラメータの情報をユーザから受け付ける。また、例えば、液晶パネル１１４は、これから印刷する予定のジョブ又はすでに印刷中のジョブのキャンセルの指示をユーザから受け付ける。
【００３７】
バックライト１１５は、液晶パネル１１４を後方から照射する光源である。バックライト１１５が点灯することにより、ユーザは、液晶パネル１１４に表示された情報を視認することが容易となる。また、バックライト１１５の点灯及び消灯は、パネル制御回路１１１によって制御される。特に、後述するライトスリープモードIIの場合には、操作パネル１１０には第２電源回路１４１からの電力が供給されているが、バックライト１１５には第２電源回路１４１からの電力が供給されない。
【００３８】
省エネキー１１６は、電力モード間の切り替えを指示するための入力を受け付けるキースイッチである。この省エネキー１１６には、操作パネル１１０とは独立して電力が常時供給される。そして、省エネキー１１６が押下された場合、省エネキー１１６が押下されたことを示す信号がＣＰＵ１０１へ通知される。なお、省エネキー１１６は、必ずしもキースイッチである必要はなく、例えばスライドスイッチあるいはトグルスイッチ等であってもよい。
【００３９】
スキャナ１２０は、原稿の表面又は裏面に表された画像（文字を含む）を、ＣＣＤ（Ｃｈａｒｇｅ  Ｃｏｕｐｌｅｄ  Ｄｅｖｉｃｅ）センサなどを用いて光学的に読み取ることにより、画像データを生成する。スキャナ１２０は、スキャナ制御／画像処理回路１２１と、ＣＣＤラインセンサ１２２と、ＡＤＦ原稿センサ１２３と、プラテンカバーセンサ１２４とを有する。
【００４０】
スキャナ制御／画像処理回路１２１は、例えばＬＳＩなどの集積回路である。スキャナ制御／画像処理回路１２１は、スキャナ１２０が有するＣＣＤラインセンサ１２２から画像信号を受信し、ＡＤＦ原稿センサ１２３あるいはプラテンカバーセンサ１２４からセンサ信号を受信する。また、スキャナ制御／画像処理回路１２１は、ＣＣＤラインセンサ１２２から受信した画像信号を処理することにより画像データを生成する。
【００４１】
ＣＣＤラインセンサ１２２は、ガラス面上に配置された原稿を走査することにより、原稿の表面又は裏面に表された画像を画像信号に変換する。また、ＣＣＤラインセンサ１２２は、ＡＤＦ（Ａｕｔｏ  Ｄｏｃｕｍｅｎｔ  Ｆｅｅｄｅｒ）によって搬送されている原稿の表面又は裏面に表された画像を画像信号に変換する。
【００４２】
ＡＤＦ原稿センサ１２３は、ＡＤＦの載置台に原稿が載置されているか否かを示すセンサ信号をスキャナ制御／画像処理回路１２１に通知する。
【００４３】
プラテンカバーセンサ１２４は、走査される原稿が載置されるガラス面を覆う開閉自在のカバー部材が閉じているか否かを示すセンサ信号をスキャナ制御／画像処理回路１２１に通知する。
【００４４】
プリンタ１３０は、端末装置２０１、２０２からＬＡＮ２０４を介して受信した画像データが示す画像、又はスキャナ１２０によって生成された画像データが示す画像などを、紙などの媒体に印刷する。プリンタ１３０は、プリンタ制御回路１３１と、カバーオープンセンサ１３２と、カセットオープンセンサ１３３と、ジャムセンサ１３４とを有する。
【００４５】
プリンタ制御回路１３１は、例えばＬＳＩなどの集積回路である。プリンタ制御回路１３１は、各種センサからのセンサ信号を受信し、受信したセンサ信号に応じて、紙などの媒体に印字するために必要な各種機構の制御を行う。また、プリンタ制御回路１３１は、操作パネル１１０から通知された複写パラメータに従って各種機構の制御を行う。またさらに、プリンタ制御回路１３１は、操作パネル１１０から印刷ジョブのキャンセル指示の情報が通知された場合には、その印刷ジョブを中止する。
【００４６】
カバーオープンセンサ１３２は、画像処理装置１００の内部機構を保護するための開閉自在のカバー部材が開いているか否かを示すセンサ信号をプリンタ制御回路１３１に通知する。ユーザは、印刷中の用紙が詰まった場合、あるいはトナーを交換する場合などに、このカバー部材を開いて、画像処理装置１００の内部機構にアクセスする。
【００４７】
カセットオープンセンサ１３３は、印刷対象となる媒体を収納するためのカセットが引き出されているか否かを示すセンサ信号をプリンタ制御回路１３１に通知する。
【００４８】
ジャムセンサ１３４は、ジャム（紙詰まり）が発生しているか否かを示すセンサ信号をプリンタ制御回路１３１に通知する。
【００４９】
第１電源回路１４０は、交流電源と接続された回路である。第１電源回路１４０は、電力モードに関わらず、ＣＰＵ１０１、ＲＯＭ１０２、ＳＲＡＭ１０３、メモリコントローラ１０４、ＳＤＲＡＭ１０５、コーデック１０６、モデム１０７、ＮＣＵ１０８、及びＬＡＮＩ／Ｆ１０９に電力を供給する。
【００５０】
第２電源回路１４１は、交流電源と接続されており、電力モードに応じて、操作パネル１１０、スキャナ１２０、及びプリンタ１３０に、電力を供給する。なお、現在の電源モードが後述するディープスリープモードである場合には、この第２電源回路１４１に電源からの電力は供給されない。
【００５１】
第１スイッチ１４２、第２スイッチ１４３、又は第３スイッチ１４４は、操作パネル１１０、スキャナ１２０、又はプリンタ１３０へ電力を供給するか否かを制御するためのスイッチである。この第１スイッチ１４２、第２スイッチ１４３、又は第３スイッチ１４４は、ＣＰＵ１０１からの指示に応じて動作する。なお、第１スイッチ１４２、第２スイッチ１４３、又は第３スイッチ１４４は、電力線を電気的に接続又は切断する半導体素子などからなるスイッチであればよい。また、第１スイッチ１４２、第２スイッチ１４３、又は第３スイッチ１４４は、電力線を物理的に接続又は切断する機械的なスイッチであってもよい。
【００５２】
図３は、本発明の実施の形態に係る画像処理装置の特徴的な機能構成を示す図である。つまり、図３は、図２に示されるハードウェア構成によって発揮される画像処理装置１００の機能のうち、本実施の形態に関わる機能を示すブロック図である。
【００５３】
画像処理装置１００は、機能的には、操作部１５０と、スキャナ部１５４と、プリンタ部１５５と、制御部１５６と、通信部１５７と、電源部１５８とを備える。
【００５４】
操作部１５０は、図２における操作パネル１１０に対応し、ユーザからの入力を受け付ける。操作部１５０は、少なくとも、表示部１５１と、発光部１５２と、切替入力部１５３とを有する。
【００５５】
表示部１５１は、図２におけるパネル制御回路１１１及び液晶パネル１１４に対応し、操作用画像を表示し、ユーザからの入力を受け付ける。また、表示部１５１は、エラー情報などの各種情報を表示する。
【００５６】
発光部１５２は、図２におけるパネル制御回路１１１及びバックライト１１５に対応し、表示部１５１を背面から照射する。
【００５７】
切替入力部１５３は、図２における省エネキー１１６に対応し、複数の電力モード間の切り替えを指示するための入力を受け付ける。
【００５８】
スキャナ部１５４は、図２におけるスキャナ１２０に対応し、原稿に表された画像を読み取って画像データを生成する。
【００５９】
プリンタ部１５５は、図２におけるプリンタ１３０に対応し、画像データが示す画像を媒体に印刷する。
【００６０】
制御部１５６は、図２におけるＣＰＵ１０１、ＲＯＭ１０２及びＳＤＲＡＭ１０５等によって実現される処理部である。制御部１５６は、操作部１５０、スキャナ部１５４及びプリンタ部１５５のそれぞれへ電源部１５８からの電力を供給するか否かを示す複数の電力モード間の切り替えを行う。
【００６１】
例えば、制御部１５６は、後述する切替条件テーブルを保持している。そして、制御部１５６は、保持している切替条件テーブルを参照することにより、受信した情報等に基づいて現在の電力モードに対応する切替条件のいずれかが満たされるか否かを判定する。さらに、制御部１５６は、切替条件のいずれかが満たされると判定した場合、現在の電力モードから、当該切替条件に対応する切替先電力モードに切り替える。
【００６２】
具体的には、制御部１５６は、タイマーなどから時刻情報を受信し、ジョブが終了した時刻などの特定の時刻からの経過時間情報を取得する。また、制御部１５６は、操作部１５０、スキャナ部１５４、又はプリンタ部１５５から、各種センサの検知結果を示す情報あるいはユーザによる操作結果を示す情報などを受信する。制御部１５６は、受信したこれらの情報を用いて、現在の電力モードに対応する切替条件のいずれかが満たされるか否かを判定する。なお、複数の電力モード及び切替条件の詳細については、図４及び図５を用いて後述する。
【００６３】
通信部１５７は、図２におけるＬＡＮＩ／Ｆ１０９等に対応し、ネットワークを介して外部から、画像データの印刷を要求するプリント要求を受信する。
【００６４】
電源部１５８は、図２における第２電源回路１４１、第１スイッチ１４２、第２スイッチ１４３、及び第３スイッチ１４４に対応し、電力モードに従って、操作部１５０、スキャナ部１５４及びプリンタ部１５５に電源部１５８からの電力を供給する。
【００６５】
次に、複数の電力モード及び切替条件の詳細について、図４及び図５を用いて説明する。
【００６６】
図４は、本発明の実施の形態に係る画像処理装置の電力モードの遷移図である。図５は、本発明の実施の形態に係る切替条件テーブルの一例を示す図である。
【００６７】
図４に示すように、複数の電力モードは、ディープスリープモード１０と、ライトスリープモードII２０と、ライトスリープモードI３０と、レディモード４０とを含む。また、図４において、各矢印１〜８は、一の電力モードから他の電力モードへ切り替え可能な方向を示す。一の電力モードから他の電力モードへの切り替えは、図５に示す切替条件テーブルに従って行われる。
【００６８】
図５に示すように、切替条件テーブルには、現在の電力モードと、切替先電力モードと、切替条件とが格納されている。図５において、１つの切替条件のセルに複数の条件が記載されている場合は、そのいずれか１つの条件が満たされれば、切替条件が満たされることを意味する。
【００６９】
なお、図５に示す行番号は、図４に示す各矢印１〜８の符号に対応している。また、図５において、切替条件として示される条件は例示であり、図５に示す条件と異なる条件が切替条件に含まれてもよいし、図５に示す条件が切替条件に必ずしも含まれなくてもよい。
【００７０】
ディープスリープモード１０は、第１の電力モードの一例であり、操作部１５０とスキャナ部１５４とプリンタ部１５５とのいずれにも電源部１５８からの電力を供給しない電力モードである。なお、ディープスリープモード１０では、電源部１５８に電源からの電力が供給されない。したがって、画像処理装置１００は、電力モードがディープスリープモード１０であるときの消費電力を抑制することができる。
【００７１】
ライトスリープモードII２０は、第２の電力モードの一例であり、操作部１５０とプリンタ部１５５とへ電源部１５８からの電力を供給し、かつ、スキャナ部１５４へ電源部１５８からの電力を供給しない電力モードである。
【００７２】
ライトスリープモードI３０は、第３の電力モードの一例であり、操作部１５０が有する表示部１５１と発光部１５２とのうち表示部１５１にのみ電源部１５８からの電力を供給し、かつ、プリンタ部１５５に電源部１５８からの電力を供給する電力モードである。
【００７３】
なお、どの電力モードから切り替えられたかにより、ライトスリープモードI３０において、スキャナ部１５４に電源部１５８からの電力が供給されるか否かが決定される。つまり、ライトスリープモードI３０では、切替前の電力モードがスキャナ部１５４に電源部１５８からの電力を供給する電力モードであるか否かに応じて、スキャナ部１５４に電源部１５８からの電力が供給されるか否かが決定される。
【００７４】
具体的には、ライトスリープモードII２０からライトスリープモードI３０に切り替えられた場合には、ライトスリープモードI３０ではスキャナ部１５４に電源部１５８からの電力が供給されない。一方、レディモード４０からライトスリープモードI３０に切り替えられた場合には、ライトスリープモードI３０ではスキャナ部１５４に電源部１５８からの電力が供給される。
【００７５】
レディモード４０は、第４の電力モードの一例であり、操作部１５０とスキャナ部１５４とプリンタ部１５５とに電源部１５８からの電力を供給する電力モードである。
【００７６】
このような各電力モードにおいて、制御部１５６は、図５に示す切替条件に従って、現在の電力モードから切替先電力モードに切り替える。
【００７７】
例えば、図５の行番号「６」に示すように、現在の電力モードがディープスリープモード１０であるときにスキャナ部１５４を動作させる必要のないジョブが発生した場合、制御部１５６は、ディープスリープモード１０からライトスリープモードII２０に切り替える。なお、スキャナ部１５４を動作させる必要のないジョブとは、例えば、外部から受信したプリント要求などに基づいて実行される印刷ジョブである。つまり、現在の電力モードがディープスリープモード１０であるときにプリント要求が受信された場合、制御部１５６は、ディープスリープモード１０からライトスリープモードII２０に切り替える。
【００７８】
これにより、操作部１５０とプリンタ部１５５とに電源部１５８からの電力が供給され、スキャナ部１５４に電源部１５８からの電力が供給されない。したがって、プリント要求に基づくジョブが実行されているときに、ユーザは、操作部１５０を操作することにより、プリント要求に基づくジョブを容易に取り消すことができる。また、スキャナ部１５４には電源部１５８からの電力が供給されていないので、画像処理装置１００は、省電力化も実現することができる。
【００７９】
また、例えば、図５の行番号「７」に示すように、現在の電力モードがライトスリープモードII２０である場合に、ジョブ終了後、エラーの無い状態で１分経過したときには、制御部１５６は、ライトスリープモードII２０からライトスリープモードI３０に切り替える。ここでいうエラーは、例えば、通信エラー、印刷用の用紙が無いことを示すエラー、又は印刷用のトナーが無いことを示すエラーなどである。また、上記において１分は例示であり、例えば３０秒又は５分などの任意の時間でもよい。
【００８０】
これにより、操作部１５０が備える発光部１５２へ電源部１５８からの電力が供給されない。このように、制御部１５６は、ライトスリープモードII２０からディープスリープモード１０に直接切り替えるのではなく、ライトスリープモードI３０を経由させてからディープスリープモード１０に切り替える。したがって、画像処理装置１００は、ライトスリープモードII２０から他の電力モードに切り替えられた後、再びプリント要求を受け付けた場合に、より早く印刷処理を実行することができる可能性が向上する。また、画像処理装置１００は、第２の電力モードのまま電力モードが維持されるよりも、操作部１５０が備える発光部１５２によって消費される電力を低減させることもできる。つまり、画像処理装置１００は、省電力化を実現することもできる。
【００８１】
また、例えば、図５の行番号「８」に示すように、現在の電力モードがライトスリープモードII２０であるときに省エネキー１１６が押下された場合、制御部１５６は、ライトスリープモードII２０からレディモード４０に切り替える。つまり、制御部１５６は、ライトスリープモードII２０において切替入力部１５３が操作された場合、ライトスリープモードII２０からレディモード４０に切り替える。
【００８２】
また、例えば、現在の電力モードがライトスリープモードII２０であるときに各種エラーが検知された場合などにも、制御部１５６は、ライトスリープモードII２０からレディモード４０に切り替える。
【００８３】
これにより、スキャナ機能が利用される可能性が高い場合などに、スキャナ機能が利用できないライトスリープモードII２０からスキャナ機能が利用できるレディモード４０に切り替えることができる。特に、ユーザがライトスリープモードII２０からレディモード４０に切り替えたい場合、ユーザは、省エネキー１１６を押下するだけで容易に電力モードを切り替えることができる。
【００８４】
次に、以上のように構成された画像処理装置１００における電力モードの切り替えに関する動作について説明する。
【００８５】
図６は、本発明の実施の形態に係る画像処理装置の電力モードの切り替えに関する動作を示すフローチャートである。
【００８６】
まず、制御部１５６は、操作部１５０、スキャナ部１５４又はプリンタ部１５５等から各種情報を取得する（ステップＳ１０１）。続いて、制御部１５６は、現在の電力モードを取得する（ステップＳ１０２）。
【００８７】
次に、制御部１５６は、切替条件テーブルを参照することにより、ステップＳ１０１において取得した各種情報に基づいて、ステップＳ１０２において取得した現在の電力モードに対応する切替条件のいずれかが満たされるか否かを判定する（ステップＳ１０３）。
【００８８】
ここで、切替条件のいずれもが満たされない場合（ステップＳ１０３のＮｏ）、制御部１５６は、再びステップＳ１０１からの処理を繰り返す。
【００８９】
一方、いずれかの切替条件が満たされる場合（ステップＳ１０３のＹｅｓ）、制御部１５６は、その切替条件に対応する切替先電力モードに電力モードを切り替える（ステップＳ１０４）。そして、制御部１５６は、再びステップＳ１０１からの処理を繰り返す。
【００９０】
以上のように、本実施の形態に係る画像処理装置１００は、最も省電力化されたディープスリープモード１０のときにプリント要求を受信した場合に、スキャナ部１５４に電源部１５８からの電力を供給しないライトスリープモードII２０に切り替える。したがって、画像処理装置１００は、スキャナ部１５４に不要な電源部１５８からの電力を供給することなく、印刷ジョブを実行することができるので、省電力化を実現することができる。また、ライトスリープモードII２０において操作部１５０に電源部１５８からの電力が供給されるので、ユーザは、ライトスリープモードII２０から他の電力モードに切り替えることなく、比較的迅速に操作部１５０を介してプリント要求を取り消すことができる。
【００９１】
また、画像処理装置１００において、ライトスリープモードII２０からディープスリープモード１０に直接切り替えられることがない。つまり、ディープスリープモード１０よりも印刷動作を早く開始することができるライトスリープモードI３０に一旦切り替えられるので、再度プリント要求を受信した際に、より早く印刷処理を実行できる可能性が向上する。また、ライトスリープモードII２０から、発光部１５２へ電源部１５８からの電力が供給されないライトスリープモードI３０に切り替えられることにより、ライトスリープモードII２０のまま電力モードが維持されるよりも、省電力化を実現することができる。
【００９２】
また、ライトスリープモードII２０から発光部１５２へ電源部１５８からの電力が供給されないライトスリープモードI３０に切り替えられることにより、ライトスリープモードII２０のまま電力モードが維持されるよりも、省電力化を実現することができる。
【００９３】
また、ユーザは、切替入力部１５３を操作するだけで、ライトスリープモードII２０からレディモード４０へ容易に切り替えることができる。つまり、画像処理装置１００は、ユーザの操作性を向上させることができる。
【００９４】
以上、本発明の一態様に係る画像処理装置について、実施の形態に基づいて説明したが、本発明は、これらの実施の形態に限定されるものではない。本発明の趣旨を逸脱しない限り、当業者が思いつく各種変形を本実施の形態に施したものも、本発明の範囲内に含まれる。
【００９５】
例えば、上記実施の形態に係る画像処理装置は、ファクシミリ機能を有していたが、本発明の一態様に係る画像処理装置は、必ずしもファクシミリ機能を有する必要はない。つまり、画像処理装置は、必ずしも、モデム及びＮＣＵを有する必要はない。これらの構成要素を有しない場合であっても、画像処理装置は、省電力化を実現するとともに、省電力を目的とする電力モードにおいてユーザの操作性を向上させることができるという効果を奏する。
【００９６】
また、上記実施の形態に係る画像処理装置は、第１電源回路と第２電源回路との２つの電源回路を備えていたが、本発明の一態様に係る画像処理装置は、必ずしも２つの電源回路を備える必要はない。例えば、画像処理装置が第２電源回路を備えない場合、第１電源回路が電力モードに応じて操作パネル、スキャナ及びプリンタに電力を供給すればよい。
【００９７】
なお、本発明は、このような画像処理装置として実現することができるだけでなく、このような画像処理装置が備える特徴的な処理部の動作をステップとする画像処理装置の電力制御方法として実現してもよい。また、本発明は、その画像処理装置の電力制御方法におけるステップをコンピュータに実行させるプログラムとして実現することもできる。そして、そのようなプログラムは、ＣＤ−ＲＯＭ等の記録媒体やインターネット等の伝送媒体を介して配信することができるのは言うまでもない。
【産業上の利用可能性】
【００９８】
省電力化を実現するとともに、省電力を目的とする電力モード時に受信したプリント要求を、ユーザが比較的容易に取り消すことができる画像処理装置、特に複合機、コピー機等として利用できる。
【符号の説明】
【００９９】
１０  ディープスリープモード
２０  ライトスリープモードII
３０  ライトスリープモードI
４０  レディモード
１００  画像処理装置
１０１  ＣＰＵ
１０２  ＲＯＭ
１０３  ＳＲＡＭ
１０４  メモリコントローラ
１０５  ＳＤＲＡＭ
１０６  コーデック
１０７  モデム
１０８  ＮＣＵ
１０９  ＬＡＮＩ／Ｆ
１１０  操作パネル
１１１  パネル制御回路
１１２  キーマトリクス
１１３  ＬＥＤ
１１４  液晶パネル
１１５  バックライト
１１６  省エネキー
１２０  スキャナ
１２１  スキャナ制御／画像処理回路
１２２  ＣＣＤラインセンサ
１２３  ＡＤＦ原稿センサ
１２４  プラテンカバーセンサ
１３０  プリンタ
１３１  プリンタ制御回路
１３２  カバーオープンセンサ
１３３  カセットオープンセンサ
１３４  ジャムセンサ
１４０  第１電源回路
１４１  第２電源回路
１４２  第１スイッチ
１４３  第２スイッチ
１４４  第３スイッチ
１５０  操作部
１５１  表示部
１５２  発光部
１５３  切替入力部
１５４  スキャナ部
１５５  プリンタ部
１５６  制御部
１５７  通信部
１５８  電源部
２００  相手画像処理装置
２０１、２０２  端末装置
２０３  ＰＳＴＮ
２０４  ＬＡＮ
【図１】
2011101330.tif 000003
【図２】
2011101330.tif 000004
【図３】
2011101330.tif 000005
【図４】
2011101330.tif 000006
【図５】
2011101330.tif 000007
【図６】
2011101330.tif 000008